(57)【要約】      （修正有）【課題】同じ放送局が放送している同一番組については１つの行にまとめて表示をすることで、１度に表示できる番組一覧表示の情報量を多くする。【解決手段】ＥＰＧ情報が多重されたデジタル放送を受信し、この受信された受信信号からＥＰＧ情報を取得する。ＥＰＧ情報から複数のチャンネルに同一番組が割り当てられていることを検出し、前記同一番組が割り当てられている複数のチャンネルを１つのチャンネルとして番組一覧表示する。チャンネル０６１を除く番組一覧表示する。【選択図】図４
2007013562.tif 000002
【特許請求の範囲】
【請求項１】
ＥＰＧ情報が多重されたデジタル放送を受信する受信手段と、
前記受信手段により受信された受信信号からＥＰＧ情報を取得する手段と、
前記ＥＰＧ情報から、複数のチャンネルに同一番組が割り当てられていることを検出する検出手段と、
前記ＥＰＧ情報から番組一覧情報を生成する番組一覧情報生成手段とを備え、
前記番組一覧情報生成手段は、前記同一番組が割り当てられている複数のチャンネルを１つのチャンネルとして番組一覧表示することを特徴とする受信装置。
【請求項２】
前記検出手段は、イベント共有が行われているチャンネルを検出することにより、複数のチャンネルに同一番組が割り当てられていることを検出することを特徴とする請求項１記載の受信装置。
【請求項３】
ＥＰＧ情報が多重されたデジタル放送を受信する受信手段と、
前記受信手段により受信された受信信号からＥＰＧ情報を取得する手段と、
前記ＥＰＧ情報から、各チャンネルについて次に放送される次番組を検出する検出手段と、
前記検出手段によって検出された次番組の番組一覧情報を生成する番組一覧情報生成手段とを備え、
前記検出手段は、検出された次番組が所定の長さよりも短いときには、更に次の番組を次番組とすることを繰り返し、所定の長さ以上の次番組が検出されたときに最終的な次番組とすることを特徴とする受信装置。
【請求項４】
デジタル放送信号から映像信号を取得する手段と、
前記映像信号に、前記番組一覧情報を重畳する重畳手段とを備えたことを特徴とする請求項１または３に記載の受信装置。
【請求項５】
ＥＰＧ情報が多重されたデジタル放送を受信し、
この受信された受信信号からＥＰＧ情報を取得し、
この取得された前記ＥＰＧ情報から、複数のチャンネルに同一番組が割り当てられていることを検出し、
前記取得された前記ＥＰＧ情報から、前記同一番組が割り当てられている複数のチャンネルを１つのチャンネルとした番組一覧情報を生成することを特徴とする受信方法。
【請求項６】
ＥＰＧ情報が多重されたデジタル放送を受信し、
この受信された受信信号からＥＰＧ情報を取得し、
前記取得した前記ＥＰＧ情報から、各チャンネルについて次に放送される次番組を検出し、
この検出された次番組が所定の長さよりも短いときには、更に次の番組を次番組とすることを繰り返し、所定の長さ以上の次番組が検出されたときに最終的な次番組とした次番組の番組一覧情報を生成することを特徴とする受信方法。
【発明の詳細な説明】
【技術分野】
【０００１】
この発明は、受信装置に関し、特に番組一覧を表示することが可能な受信装置に関する。
【背景技術】
【０００２】
従来、電子番組ガイドによる情報を用いて、例えば裏番組の一覧表示を行う受信装置が知られている（例えば、特許文献１参照）。
デジタル放送では、まだら放送が行われており、例えば地上デジタルＤ１０１〜Ｄ１０３の枠を使って、１チャンネルのハイビジョン放送が行われることがある。
従来、例えば裏番組の一覧表示を行う場合、地上デジタルＤ１０１、地上デジタルＤ１０２、地上デジタルＤ１０３で、各１行使用して裏番組の一覧表示を行っていた。
【特許文献１】特開平０９−２７０６７３号公報
【発明の開示】
【発明が解決しようとする課題】
【０００３】
このようにイベント共有が行われている番組一覧表示時に、１つの番組が3つの行を占有する為に、表示スペースを無駄に使用してしまうという問題があった。
また、番組一覧表示時に、５分程度の料理番組や番組宣伝用の番組などの比較的短い時間の番組であっても１つの番組として扱うため、多くの視聴者が通常望む本来の次番組が表示されないという問題があった。
【０００４】
この発明は、同じ放送局が放送している同一番組については１つの行にまとめて表示をすることで、１度に表示できる番組一覧表示の情報量を多くすることを目的とする。
【０００５】
また、この発明は、５分程度の料理番組や番組宣伝用の番組などの比較的短い時間の番組については１つの番組として扱わず、多くの視聴者が通常望む本来の次番組を検索して番組一覧表示を表示することを目的とする。
【課題を解決するための手段】
【０００６】
上記の目的を達成するために、この発明においては、ＥＰＧ情報が多重されたデジタル放送を受信する受信手段と、前記受信手段により受信された受信信号からＥＰＧ情報を取得する手段と、前記ＥＰＧ情報から、複数のチャンネルに同一番組が割り当てられていることを検出する検出手段と、前記ＥＰＧ情報から番組一覧情報を生成する番組一覧情報生成手段とを備え、前記番組一覧情報生成手段は、前記同一番組が割り当てられている複数のチャンネルを１つのチャンネルとして番組一覧表示することを特徴とする受信装置を提供する。
【０００７】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、同じ放送局が放送している同一番組については１つの行にまとめて表示をすることで、１度に表示できる番組一覧表示の情報量を多くすることができる。
【０００９】
また、この発明は、５分程度の料理番組や番組宣伝用の番組などの比較的短い時間の番組については１つの番組として扱わずに次番組を検索するので、多くの視聴者が通常望む本来の次番組を検索して番組一覧表示を表示することができる。
【発明を実施するための最良の形態】
【００１０】
以下、図面を参照しながら本発明の実施形態について説明する。
（第１の実施例）
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤ（Digital Versatile Disk）レコーダ１２９等の機器を接続し、これらの機器と情報伝送を行なうために使用される。
【００１８】
なお、ＰＣ１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２１】
なお、ＰＣ１３３についてはコンテンツのサーバー機器として動作するための機能を持ち、さらにコンテンツのアクセスに必要なＵＲＩ情報を提供するサービスを備えたＵＰｎＰ対応機器として構成される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００２８】
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００３２】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３３】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３４】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３５】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３６】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３７】
ＥＰＧを表示するとき、グラフィック処理部２５４は、制御部２６１からの制御信号およびＥＰＧ情報に基づき、映像信号上にＥＰＧ情報を重畳する処理を行う。
また、字幕放送による字幕を表示するとき、グラフィック処理部２５４は、制御部２６１からの制御信号および字幕情報に基づき、映像信号上に字幕情報を重畳する処理を行う。なお、この実施形態では、グラフィック処理部２５４が字幕情報を映像信号上に重畳する処理を行うとして説明するが、これに限定されず、信号処理部２４７により字幕情報を映像信号上に重畳する処理を行ってもよい。
【００３８】
更に、このデジタルテレビジョン放送受信装置１１１は、現時刻に裏で放送されている番組の一覧を表示する「裏番組ガイド」と呼ばれる機能を有している。この「裏番組ガイド」機能は、制御部２６１がＥＰＧ情報を用いて、現時刻に裏で放送されている裏番組一覧を生成し、この生成した裏番組一覧を映像信号上に重畳するよう、グラフィック処理部２５４に対して制御を行う。
【００３９】
更に、このデジタルテレビジョン放送受信装置１１１は、現時刻に放送されている次の番組の一覧を表示する「次番組ガイド」と呼ばれる機能を有している。この「次番組ガイド」機能は、制御部２６１がＥＰＧ情報を用いて、現時刻に放送されている番組一覧を生成し、この生成した番組一覧を映像信号上に重畳するよう、グラフィック処理部２５４に対して制御を行う。
【００４０】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４１】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４２】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４３】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４４】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４５】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４６】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４７】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４８】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４９】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００５０】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００５１】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００５２】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてＰＣ１２８を発見する。
【００５３】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００５４】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５５】
（裏番組ガイド：イベント共有時の裏番組一覧の表示方法）
次に、上記「裏番組ガイド」機能による裏番組一覧の表示処理について詳細に説明する。
なお、ここでは、全て図３に示す番組表に対応したＥＰＧ情報が送信されているものとする。
通常、ＥＰＧによる番組表の表示は、画面いっぱいを利用して多くのチャンネルの多くの時間帯での番組を一度に表示する。これに対し「裏番組ガイド」機能では、現在視聴中の画面を出来るだけ邪魔しないように、小さなエリアに、現時刻に裏で放送されている裏番組一覧を表示する。また、社団法人  電波産業会で定める、「地上デジタルテレビジョン放送運用規定」等で規定されているように、デジタル放送では複数のサービス（論理的なチャンネル）で同一の番組を放送する運用がなされている。例えば、図３に示すように地上デジタル放送の０１１チャンネルから０１３チャンネルで、ＰＭ４：００〜ＰＭ６：００の間、「大相撲」が放送されるというような状況である。
【００５６】
従来の「裏番組ガイド」機能では、イベント共有が行われているチャンネルであっても独立したチャンネルとして扱っていた。このため図４（ｂ）に示すように、全てのチャンネル（例えば、０１１チャンネルから０１３チャンネルの３つのチャンネル）が表示され、全てのチャンネルで同じ番組の情報（番組名等）が表示されていた。これでは図４（ｂ）に示すように、「裏番組ガイド」機能で４チャンネル分の表示エリアを用意していても、その内３チャンネル分は同じ番組の情報が表示されてしまうことになる。
【００５７】
この実施形態の「裏番組ガイド」機能では、イベント共有が行われているチャンネルは１チャンネルとして扱い表示する。これにより１度に確認できる番組数を増やすことができ、チャンネル０６１を視聴時に「裏番組ガイド」機能が起動されると、例えば、図４（ａ）に示すようなチャンネル０６１を除く裏番組一覧が表示される。
【００５８】
図５は、このときのデジタルテレビジョン放送受信装置１１１の制御部２６１による、「裏番組ガイド」機能の処理動作を説明するためのフローチャートである。
ステップＳ５０１：ユーザによる操作部１１６の操作によって「裏番組ガイド」機能が指示されると、ＥＰＧ情報から、現時刻に他のチャンネルで放送されている番組を検索する。
【００５９】
ステップＳ５０２：イベント共有が行われているチャンネルが有ればマージして１チャンネルとして扱って裏番組一覧を表示させる。このとき図３に示すＥＰＧ情報が送られている場合、１つのチャンネルに対して地上デジタル放送の０１１チャンネルから０１３チャンネルがイベント共有されていることが分かるように、図４（ａ）に示すように１つのチャンネルの領域に、マージされた複数のチャンネルを表示する。これにより視聴者はイベント共有が行われてマージされたチャンネルであることを知ることができる。
【００６０】
なお、上記ステップＳ５０２での、イベント共有を行っていることは、放送波のデジタル信号（ＴＳ：Transport Stream）内のＳＩ（Service Information）を解析することで検出することができる。具体的には、サービス（各チャンネルの番組）の情報であるＰＭＴ（Program Map Table）の中にあるＥＳ  ＰＩＤが複数のＰＭＴで同じであることから、イベント共有が行われていることを検出することができる。このことは、社団法人  電波産業会の発行する「地上デジタルテレビジョン放送運用規定」（ARIB TR-B14）  第二分冊  第２部などに詳しく述べられている。
【００６１】
以上説明したとおり、この実施形態によれば、同じ放送局が放送している同一番組については１つの行にまとめて表示をすることで、１度に表示できる情報量を多くすることができる。これにより、従来より一度に多くのチャンネルを確認できるようになり、視聴者がより少ない操作で目的の番組を探すことが出来る。
【００６２】
（第２の実施例）
（次番組ガイド：次番組の表示方法）
次に、上記「次番組ガイド」機能による次番組一覧の表示処理について詳細に説明する。なお、この例では、全て図３に示す番組表に対応したＥＰＧ情報が送信されているものとする。
【００６３】
従来の「次番組ガイド」機能では、５分程度の料理番組や番組宣伝用の番組などの比較的短い時間の番組であっても１つの番組として扱っていた。このため図６（ｂ）に示すように、多くの視聴者が通常望む本来の次番組ではなく、上記した短い時間の番組が表示されていた。これでは多くの視聴者が通常望む本来の次番組が表示されないことになる。
【００６４】
この実施形態の「次番組ガイド」機能では、所定の時間よりも短い番組は検索の対象とせずに次番組を検索し表示する。これにより多くの視聴者が通常望む本来の次番組を表示することができる。この結果、例えば、図６（ａ）に示すような裏番組一覧が表示される。
【００６５】
このとき、所定の時間よりも短い番組は検索の対象とせず次番組を検索する。例えば、図３の例で、５時５０分に０４１チャンネルを視聴しているときに、次番組が検索されると、所定の時間（例えば７分）よりも短い６分の番組である番組名「今夜の番組」は検索の対象とせずに無視し、
【００６６】
６時００分から放送が開始される番組名「プロ野球中継」が次番組として検索される。
図７は、このときのデジタルテレビジョン放送受信装置１１１の制御部２６１による、「次番組ガイド」の処理動作を説明するためのフローチャートである。ユーザによる操作部１１６の操作によって「次番組ガイド」機能が指示されると、「次番組ガイド」処理が開始される。
【００６７】
ステップＳ７０１：チャンネルを第１番目のチャンネルとする。
ステップＳ７０２：現時刻の次に放送される、次番組をＥＰＧ情報から検索する。
ステップＳ７０３：検索された次番組が７分よりも短いか否か判断し、７分よりも短い場合にはステップＳ７０４へ進み、７分以上の場合にはステップＳ７０５へ進む。
【００６８】
ステップＳ７０４：検索された番組の次に放送される、次々番組を検索する。このステップＳ７０４の検索を繰り返すことにより、現在検索しているチャンネルの次番組がいずれ確定することとなる。
【００６９】
ステップＳ７０５：検索された次番組が７分以上の場合なので、この検索された次番組を、当該チャンネルに対する次番組として確定する。
ステップＳ７０６：全てのチャンネルについて次番組が確定していなければ、次のチャンネルに切替えてステップＳ７０１からの処理を繰り返し、全てのチャンネルについて次番組が確定すれば処理を終了する。
【００７０】
上記した所定の時間は、予め決められている他、ユーザが設定できるようにしてもよい。例えば、制御部２６１は、ＯＳＤ信号生成部２５７に対して例えば図８に示すＧＵＩ画面を生成させ、このＧＵＩ画面に対する操作部１１６の操作により所定の時間を選択させ、この選択した所定の時間を不揮発性メモリ２６１ｃに記憶する。
【００７１】
以上説明した通り本発明によれば、「次番組ガイド」の対象とする番組の時間を使用者に決定させることで、短い時間の番組を飛ばして、正しいと考えられる次番組を「次番組ガイド」に表示させることで、本来の視聴者が望む次番組を表示させることができる。
【００７２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７３】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】実施形態の例で使用している番組表を示す図。
【図４】本発明の裏番組検索結果の画面を説明するための図。
【図５】従来の裏番組検索結果の画面を説明するための図。
【図６】本発明の次番組検索結果の画面を説明するための図。
【図７】従来の次番組検索結果の画面を説明するための図。
【図８】短時間番組の表示設定画面を説明するための図。
【符号の説明】
【００７４】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2007013562.tif 000003
【図２】
2007013562.tif 000004
【図３】
2007013562.tif 000005
【図４】
2007013562.tif 000006
【図５】
2007013562.tif 000007
【図６】
2007013562.tif 000008
【図７】
2007013562.tif 000009
【図８】
2007013562.tif 000010